【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
シートをトレイ上に積載するシート積載装置において、
前記トレイ上にシートを排出するシート排出手段と、
前記シート排出手段をシートの排出方向と直交する方向に移動する直交方向移動手段と、
前記シート排出手段にシートが搬送された際、前記直交方向移動手段を作動させ、前記シート排出手段を直交方向に移動する制御手段と、
前記シート排出手段によって前記トレイ上に排出されたシートを、該シート排出方向の上流側に搬送するシート搬送手段と、
前記シート搬送手段によって前記シート排出方向の上流側に搬送されるシートの上流端を規制する規制手段と、
を備えることを特徴とするシート積載装置。
【請求項２】
前記シート搬送手段は、搬送ベルトからなり、
前記制御手段は、排出された際のシートの側端部が前記搬送ベルトに当接しない位置に、前記シート排出手段を前記直交方向移動手段によって移動させる、
ことを特徴とする請求項１に記載のシート積載装置。
【請求項３】
シートに画像形成する画像形成手段と、
前記画像形成手段によって画像形成された前記シートが積載されるシート積載装置と、を備え、
前記シート積載装置は、請求項１又は２に記載のシート積載装置であることを特徴とする画像形成装置。
【請求項４】
シートに画像形成する画像形成手段と、
前記画像形成手段によって画像形成された前記シートを、トレイ上に排出するシート排出手段と、
前記シート排出手段を前記シートの排出方向と直交する方向に移動する直交方向移動手段と、
前記シート排出手段に前記シートが搬送された際、前記直交方向移動手段を作動させ、前記シート排出手段を直交方向に移動する制御手段と、
前記シート排出手段によって前記トレイ上に排出されたシートを、該シート排出方向の上流側に搬送するシート搬送手段と、
前記シート搬送手段によって前記シート排出方向の上流側に搬送されるシートの上流端を規制する規制手段と、
を備えたことを特徴とする画像形成装置。
【手続補正２】
【補正対象書類名】明細書
【補正対象項目名】０００９
【補正方法】変更
【補正の内容】
【０００９】
本発明のシート積載装置は、シートをトレイ上に積載するシート積載装置において、前記トレイ上にシートを排出するシート排出手段と、前記シート排出手段をシートの排出方向と直交する方向に移動する直交方向移動手段と、前記シート排出手段にシートが搬送された際、前記直交方向移動手段を作動させ、前記シート排出手段を直交方向に移動する制御手段と、前記シート排出手段によって前記トレイ上に排出されたシートを、該シート排出方向の上流側に搬送するシート搬送手段と、前記シート搬送手段によって前記シート排出方向の上流側に搬送されるシートの上流端を規制する規制手段と、を備えることを特徴とするものである。
【手続補正３】
【補正対象書類名】明細書
【補正対象項目名】００１０
【補正方法】変更
【補正の内容】
【００１０】
好ましくは、前記シート搬送手段が、搬送ベルトからなり、前記制御手段が、排出された際のシートの側端部が前記搬送ベルトに当接しない位置に、前記シート排出手段を前記直交方向移動手段によって移動させる、ことを特徴とするものである。
【手続補正４】
【補正対象書類名】明細書
【補正対象項目名】００１１
【補正方法】削除
【補正の内容】
【手続補正５】
【補正対象書類名】明細書
【補正対象項目名】００１３
【補正方法】変更
【補正の内容】
【００１３】
本発明の画像形成装置は、シートに画像形成する画像形成手段と、前記画像形成手段によって画像形成された前記シートを、トレイ上に排出するシート排出手段と、前記シート排出手段を前記シートの排出方向と直交する方向に移動する直交方向移動手段と、前記シート排出手段に前記シートが搬送された際、前記直交方向移動手段を作動させ、前記シート排出手段を直交方向に移動する制御手段と、前記シート排出手段によって前記トレイ上に排出されたシートを、該シート排出方向の上流側に搬送するシート搬送手段と、前記シート搬送手段によって前記シート排出方向の上流側に搬送されるシートの上流端を規制する規制手段と、を備えたことを特徴とするものである。
【手続補正６】
【補正対象書類名】明細書
【補正対象項目名】００１４
【補正方法】変更
【補正の内容】
【００１４】
本発明のシート積載装置は、トレイ上にシートを排出するシート排出手段を、制御手段が制御する直交方向移動手段によって、シートの排出方向と直交する方向に移動させ、該シート排出手段によってトレイ上に排出されたシートをシート搬送手段が搬送して規制手段により該シートの上流端を規制させるので、複雑な構造を有する装置を要せずにシートをトレイ上の任意の位置に排出させることができるようになり、且つ排出したシートを搬送方向に整合させることができるようになる。更に、排出したシートを搬送方向だけでなく、幅方向にも整合させることができるようになる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
本発明のシート積載装置は、シート搬送手段が、搬送ベルトからなり、制御手段が、排出された際のシートの側端部が搬送ベルトに当接しない位置に、シート排出手段を直交方向移動手段によって移動させるので、トレイ上に排出するシートを安定して整合させることができるようになる。
【手続補正９】
【補正対象書類名】明細書
【補正対象項目名】００１８
【補正方法】変更
【補正の内容】
【００１８】
以下、本発明の実施の形態にかかるシート処理装置を、図１乃至１４に沿って説明する。図１は本実施の形態にかかるシート積載装置を備えた画像形成装置の一例を示す構成図、図２は本実施の形態にかかるシート積載装置の一例を示す構成図、図３は本実施の形態にかかる上段及び下段積載トレイの後端部の斜視図、図４は一般的なサイズのシートを一般的なトレイに積載した際の一例を示すもので、（ａ）は概略正面図、（ｂ）は概略側面図、図５は特別なサイズのシートを一般的なトレイに積載した際の一例を示すもので、（ａ）は概略正面図、（ｂ）は概略側面図、図６は特別なサイズのシートを一般的なトレイに積載した際に生じる不整合の一例を示す概略図、図７は特別なサイズのシートを一般的なトレイに積載した際に生じる不整合を回避する一例を示す概略図、図８は一般的なサイズのシートをオフセットモードを用いてトレイに積載した際の一例を示す概略図、図９は本実施の形態にかかる特別なサイズのシートを積載する動作を示すフローチャート、図１０は排出ローラ近傍の概略とシート排出の過程を示す第１の概略図、図１１はシート排出の過程を示す第２の概略図、図１２はシート排出の過程を示す第３の概略図、図１３はシート排出の過程を示す第４の概略図、図１４は本実施の形態にかかるシート積載装置のブロック図である。
【手続補正１０】
【補正対象書類名】明細書
【補正対象項目名】００２８
【補正方法】変更
【補正の内容】
【００２８】
上段側のシート搬送路を搬送されるシートは、搬送用駆動モータ１１の駆動により回転する上段搬送ローラ対１５と、排出駆動モータ１７の駆動により回転する上段排出ローラ対２０とによって搬送され、上段積載トレイ３１にシート排出方向（例えば後述する図１０の矢印Ｂ）に排出される。
【手続補正１１】
【補正対象書類名】明細書
【補正対象項目名】００３２
【補正方法】変更
【補正の内容】
【００３２】
上段パドル３３は、上段積載トレイ３１に落下したシートを整合する複数の上段ローレットベルト２６と上段積載トレイ３１との間に引き込む。上段ローレットベルト２６は、タイミングベルト２２によって上段排出ローラ対２０とともに既に回転しており、シートを規制手段である一例の上段積載壁部４５に当接し、シートの後端（シート排出方向の上流端）を揃える（すなわち、整合する）。
【手続補正１２】
【補正対象書類名】明細書
【補正対象項目名】００３５
【補正方法】変更
【補正の内容】
【００３５】
下段側のシート搬送路を搬送されるシートは、搬送用駆動モータ１１の駆動により回転する下段搬送ローラ対３５、縦パス第１ローラ対３６、縦パス第２ローラ対３９と、排出駆動モータ１７によって回転する下段排出ローラ対２３とによって搬送され、下段積載トレイ３１にシート排出方向に排出される。
【手続補正１３】
【補正対象書類名】明細書
【補正対象項目名】００３８
【補正方法】変更
【補正の内容】
【００３８】
下段パドル３３は、下段積載トレイ３１に落下したシートを整合する複数の下段ローレットベルト２６と下段積載トレイ３１との間に引き込む。下段ローレットベルト２６は、タイミングベルト４１によって下段排出ローラ対２３とともに既に回転しており、シートを規制手段である一例の下段積載壁部４５に当接し、シートの後端（シート排出方向の上流端）を揃える（すなわち、整合する）。
【手続補正１４】
【補正対象書類名】明細書
【補正対象項目名】００４９
【補正方法】変更
【補正の内容】
【００４９】
一般的に使用されるサイズのシートＳが、上段排出ローラ対２０から上段積載トレイ３１にシート排出方向に排出されると、図４に示すように、シートＳの中央は上段ローレットベルト２６，２６，２６の真中に合わせられる。これにより、ローレットベルト２６，２６，２６の全てが最上位のシートＳに接触し、矢印Ａ方向に回転することによって上段積載壁部４５の側（シート排出方向の上流側）に引き込む。
【手続補正１５】
【補正対象書類名】明細書
【補正対象項目名】００５３
【補正方法】変更
【補正の内容】
【００５３】
これにより、排出された最上位のシートは、上段ローレットベルト２６，２６，２６の片側２つと接触し、安定して上段積載壁部４５の側（シート排出方向の上流側）に引き込まれることによって整合される。
【手続補正１６】
【補正対象書類名】明細書
【補正対象項目名】００５５
【補正方法】変更
【補正の内容】
【００５５】
このオフセットモードにてシートが排出される際、上段排出ローラ対２０及び前記下段排出ローラ対２３は、各部数ごとに搬送方向（すなわち、シートの排出方向）に対して直交方向に所定のオフセット量に応じた位置に移動される。
【手続補正１７】
【補正対象書類名】明細書
【補正対象項目名】００５９
【補正方法】変更
【補正の内容】
【００５９】
これによって、回転軸４６はシートＳの幅方向にオフセット可能となり、上段排出ローラ２０ａは搬送されてくるシートＳを従動ころ２０ｂとともに挟持した状態で矢印Ｃ，Ｄ方向にオフセット移動する。そして、上段排出ローラ２０ａは、シートＳを整合板５３の近くに排出する。排紙ローラ移動用モータ５１、タイミングベルト５０、ウォームギア４９、回転軸４６等は、直交方向移動手段である例えば排紙ローラ移動装置５２を構成する。
【手続補正１８】
【補正対象書類名】明細書
【補正対象項目名】００８２
【補正方法】変更
【補正の内容】
【００８２】
以上説明したように、本実施の形態にかかるシート積載装置及びそれを備える画像形成装置によれば、上段及び下段積載トレイ３１上にシートをそれぞれ排出する上段及び下段排出ローラ対２０，２３を、ＣＰＵ５６が制御する排紙ローラ移動装置５２によって、シートの排出方向と直交する方向に移動させる。更に、上段及び下段排出ローラ対２０，２３によって上段及び下段積載トレイ３１上にそれぞれ排出されたシートを、上段及び下段ローレットベルト２６が、シート排出方向の上流側に搬送して上段及び下段積載壁部４５によって規制させる。これにより、複雑な構造を有する装置を要せずにシートをトレイ３１上の任意の位置に排出させることができるようになり、且つ排出したシートを搬送方向に整合させることができるようになる。更に、排出したシートを搬送方向だけでなく、幅方向にも整合させることができるようになる。
【手続補正１９】
【補正対象書類名】明細書
【補正対象項目名】００８３
【補正方法】削除
【補正の内容】
【手続補正２０】
【補正対象書類名】明細書
【補正対象項目名】００８７
【補正方法】変更
【補正の内容】
【００８７】
【図１】本実施の形態にかかるシート積載装置を備えた画像形成装置の一例を示す構成図。
【図２】本実施の形態にかかるシート積載装置の一例を示す構成図。
【図３】本実施の形態にかかる上段及び下段積載トレイの後端部の斜視図。
【図４】一般的なサイズのシートを一般的なトレイに積載した際の一例を示すもので、（ａ）は概略正面図、（ｂ）は概略側面図。
【図５】特別なサイズのシートを一般的なトレイに積載した際の一例を示すもので、（ａ）は概略正面図、（ｂ）は概略側面図。
【図６】特別なサイズのシートを一般的なトレイに積載した際に生じる不整合の一例を示す概略図。
【図７】特別なサイズのシートを一般的なトレイに積載した際に生じる不整合を回避する一例を示す概略図。
【図８】一般的なサイズのシートをオフセットモードを用いてトレイに積載した際の一例を示す概略図。
【図９】本実施の形態にかかる特別なサイズのシートを積載する動作を示すフローチャート。
【図１０】排出ローラ近傍の概略とシート排出の過程を示す第１の概略図。
【図１１】シート排出の過程を示す第２の概略図。
【図１２】シート排出の過程を示す第３の概略図。
【図１３】シート排出の過程を示す第４の概略図。
【図１４】本実施の形態にかかるシート積載装置のブロック図。
【図１５】シート積載装置の一般的な積載トレイの概略図。
【手続補正２１】
【補正対象書類名】明細書
【補正対象項目名】００８８
【補正方法】変更
【補正の内容】
【００８８】
２０  上段排出ローラ対（シート排出手段）
２３  下段排出ローラ対（シート排出手段）
２６  上段及び下段ローレットベルト（シート搬送手段）
３１  上段及び下段積載トレイ（トレイ）
４５  上段及び下段積載壁部（規制手段）
５２  排紙ローラ移動装置（直交方向移動手段）
５６  ＣＰＵ（制御手段）
Ａ  画像形成装置
Ｂ  シート積載装置
Ｃ  画像形成部本体
Ｓ  シート
【手続補正２２】
【補正対象書類名】図面
【補正対象項目名】図４
【補正方法】変更
【補正の内容】
【図４】
2006131315.tif 000001
【手続補正２３】
【補正対象書類名】図面
【補正対象項目名】図５
【補正方法】変更
【補正の内容】
【図５】
2006131315.tif 000002